(57)【要約】【課題】  二重床構造において床下吸音材の配置を間引くことができ、また間引いても音源側の部屋から間仕切壁で区分された他の部屋への床下まわりの音漏れを抑えることができるようにする。【解決手段】  周囲を躯体壁１で囲まれた空間内で二重床３上に間仕切壁４が設けられる構造において、躯体壁１と二重床３との間には隙間が設けられ、かつ、床下に二重床支持脚の配列によってその列間に形成される空間列のうち、吸音材６を入れる空間列と入れない空間列とが設けられるとともに、吸音材６を入れない空間列の躯体壁沿いに吸音材６０が配置されるか、または、間仕切壁の下部に吸音材６０が配置されるかの少くともいずれかの吸音材配置が行われている。【選択図】図１
2008133623.tif 000002
【特許請求の範囲】
【請求項１】
周囲を躯体壁に囲まれた空間内で二重床上に間仕切壁が設けられる構造において、
躯体壁と二重床との間に隙間が設けられ、かつ、床下に二重床支持脚の配列によってその列間に形成される空間列のうち、吸音材を入れる空間列と入れない空間列とが設けられるとともに、吸音材を入れない空間列の躯体壁沿いに吸音材が配置されるか、または、間仕切壁の下部に吸音材が配置されるかの少くともいずれかの吸音材配置が行われていることを特徴とする住戸内部屋間の遮音構造。
【請求項２】
間仕切壁の下部の吸音材は、音源部屋側に片寄せて配置されていることを特徴とする１に記載の遮音構造。
【発明の詳細な説明】
【技術分野】
【０００１】
本発明は、床先行工法における、住戸内部屋間の遮音構造に関するものである。
【背景技術】
【０００２】
マンション等の集合住宅においては、コンクリートのスラブ床面の上に支持脚を介して床パネル等を配置した二重床構造が知られている。このような二重床構造では、階下への床衝撃音の伝播や二重床上に配設された、間仕切壁により区切られた居空間の音の伝播を抑えるために、二重床を支える二重床支持脚の配列にともなう床下の空間のほぼ全面にグラスウール等の吸音材を配置することが行われてきている（たとえば特許文献１、２を参照）。図７、図８は、このような吸音材の配置例を床平面と部分断面として示したものであり、周囲を躯体壁１に囲まれ、浴室等のための先行壁２が必要に応じて設けられている空間内で二重床３上に居室（１−４）を区切る間仕切壁４が設けられている構造において、二重床支持脚５の配置例Ａ１、Ａ２、……の各々の間の空間列Ｂ１、Ｂ２、……のほぼ全てに吸音材６が配置されている。ただ、このような二重床３の下部全面に吸音材６を配設することは、遮音効果は高いものの、床下には配管や配線を敷設することから実際的には難しく、また吸音材６の配設にともなう施工コストの増大という大きな問題がある。そこで、吸音材６の配置を間引くことが考慮されるが、この間引きによって、間仕切壁４によって区分された隣室等への躯体壁１と二重床３との間の空隙からの床下まわりの音伝播による音漏れが発生するという問題が生じることになる。
【０００３】
躯体壁１と二重床３との間の空隙からの音伝播を防ぐためには、たとえば図９に例示したように、各部屋において躯体壁１の下部の幅木７と二重床３とを密着させることが考えられるが、このような密着は、二重床３の振動による床衝撃音の緩和を阻害し、下階への衝撃音の伝播抑制を難しくすることになる。
【特許文献１】特開２０００−１７９１３４号公報
【特許文献２】特開平１１−１３２７１号公報
【発明の開示】
【発明が解決しようとする課題】
【０００４】
本発明は、上記のとおりの背景から、従来の問題点を解消して、二重床構造において床下吸音材の配置を間引くことができ、また間引いても、音源側居室から間仕切壁で区分された他の部屋への床下まわりの音伝播による音漏れを抑えることのできる、遮音性能の良好な、住戸内部屋間の新しい遮音構造を提供することを課題としている。
【課題を解決するための手段】
【０００５】
本発明の遮音構造は以下のことを特徴としている。
【０００６】
第１：周囲を躯体壁に囲まれた空間内で二重床上に間仕切壁が設けられる構造において、躯体壁と二重床との間に隙間が設けられ、かつ、床下に二重床支持脚の配列によってその列間に形成される空間列のうち、吸音材を入れる空間列と入れない空間列とが設けられるとともに、吸音材を入れない空間列の躯体壁沿いに吸音材が配置されるか、または、間仕切壁の下部に吸音材が配置されるかの少くともいずれかの吸音材配置が行われている。
【０００７】
第２：上記構造において、間仕切壁の下部の吸音材は、音源部屋側に片寄せて配置されている。
【発明の効果】
【０００８】
本発明の上記第１の遮音構造によれば、吸音材の配置を間引いて、吸音材を入れない空間列においては、躯体壁沿いに、あるいは間仕切壁の下部に吸音材を追加配置していることから、躯体壁と二重床との間の隙間からの床下まわりによる音の伝播と他の部屋への音漏れが効果的に抑えられることになる。しかも、二重床を躯体壁下部の幅木と密着させることなく、上記のとおりの隙間を設けていることで、床衝撃音の下階への伝播が二重床の振動により吸収されて効果的に緩和されることになる。
【０００９】
また、第２の構造によれば、間仕切壁下部の吸音材が音源部屋側に片寄っていることで、さらに良好な遮音効果が実現されることになる。
【００１０】
そして、従来の構造に比べて、本発明では、吸音材の位置を間引くことができるので、その敷設は床下の配管、配線が支障となることなく容易であって、しかも施工コストの低減を図ることが可能となる。
【発明を実施するための最良の形態】
【００１１】
添付した図面の図１および図２は、本発明の上記第１の遮音構造の一実施形態を例示した平面配置概要図とそのａ−ａ断面概要図である。この図１に示したように、この実施形態では、周囲を躯体壁１に囲まれた空間内で二重床３上に居室（１−４）を区切る間仕切壁４が設けられている構造において、床下に二重床支持脚の配列Ａ１、Ａ２、Ａ３、Ａ４……によってその列間に形成される空間列Ｂ１、Ｂ２、Ｂ３、Ｂ４……のうち、吸音材６を入れる空間列Ｂ１、Ｂ３、……と入れない空間列Ｂ２、Ｂ４……とが交互に設けられているとともに、吸音材６の入っていない空間列Ｂ２、Ｂ４……の躯体壁１沿いに、追加の吸音材６０が配置されている。
【００１２】
そして、図２に示したように、たとえばＢ３の空間列に入れられた吸音材６は、長尺状に配置されているとともに、二重床３は、たとえば躯体壁１下部の幅木７と密着されずに、躯体壁１との間には隙間８が設けられ、この隙間８の下方には、吸音材６が入れられていない空間列Ｂ４において躯体壁１に沿って追加の吸音材６０が配置されている。
【００１３】
上記の隙間８の存在によって、床衝撃音の下階への伝播が抑えられるとともに、たとえば、音源居室（１）でのオーディオ、テレビ等による発生音は、追加的な吸音材６０の存在によって、隙間８からの床下まわりによる他の部屋への伝播が抑えられることになる。
【００１４】
追加の吸音材６０が配置されていない構造の場合には、たとえば空間列Ｂ４のような吸音材６が配置されていない空間の方向に沿って、隣接する居室（２）へと伝播してしまい、音漏れが生じ、生活の快適さが損われることになる。
【００１５】
なお、吸音材６、そして吸音材６０の長さや大きさは二重床の床下の高さ、容積、そして遮音性能を考慮して定めることができ、二重床の裏面に接していてもよいし、あるいはこれと離間していてもよい。また、その素材や製法、さらには配置のために所望される固定等の手段は、従来と同様のものをはじめとして、適宜であってよい。一般的には、吸音材６、６０は、ガラスウール（ＧＷ）が詰められた箱状体のものが用いられる。これらは連結して長尺状とすることもできる。
【００１６】
また、追加される吸音材６０については、図１のように、吸音材６が入られていない空間列の各々に小ブロックとして配置されてもよいし、あるいは図３のように、長尺状の吸音材６を躯体壁１から控えて、追加した吸音材６０を躯体壁に沿って連続的に配置するようにしてもよい。
【００１７】
さらにまた、吸音材６０については、必ずしも躯体壁１に接していなくてもよい。図４のように、躯体柱９が張り出している場合には、吸音材６０を躯体壁１から控えた位置に配置し、吸音材６０が入らない空間Ｃを設けることが好適に考慮される。
【００１８】
図５は、本発明の上記第１の構造の別の実施形態を例示した平面概要図であって、この図５に示したように、追加の吸音材６０は、間仕切壁４の下部に配置してもよい。この配置は、上記のような躯体壁１に沿って吸音材６０の配置と併用してもよい。間仕切壁４の下部にこれを支える補助脚がある場合には、どちらか一方に片寄せて下部に配置することができる。このような下部への配置については、本発明の上記第２の構造のように、音源（騒音を含む）がある部屋側に設けることが望ましい。なお、間仕切壁４の設置部位においては、床収縮等にともなう二重床３と間仕切壁４との間の隙間の発生による音漏れ防止のため、たとえば図６に示したように、間仕切壁４に近接した二重床４の相互の間にテープ等のシール材１０を設置しておくことも有効である。
【図面の簡単な説明】
【００１９】
【図１】本発明の構造の一実施形態を例示した平面概要図である。
【図２】図１に対応するａ−ａ部分断面図である。
【図３】追加吸音材の配置についての別の形態を示した平面図である。
【図４】躯体柱がある場合の追加吸音材の配置について例示した平面図である。
【図５】本発明の別の実施形態を例示した平面概要図である。
【図６】シール材の配置について例示した断面図である。
【図７】従来の吸音材配置について示した平面概要図である。
【図８】図７に対応する断面図である。
【図９】幅木と二重床との密着の例を示した断面図である。
【符号の説明】
【００２０】
１  躯体壁
２  先行壁
３  二重床
４  間仕切壁
５  二重床支持脚
６  吸音材
６０  吸音材
７  幅木
８  隙間
９  躯体柱
１０  シール材
Ａ１、Ａ２、Ａ３、Ａ４……二重床支持脚の配列
Ｂ１、Ｂ２、Ｂ３、Ｂ４……空間列
【図１】
2008133623.tif 000003
【図２】
2008133623.tif 000004
【図３】
2008133623.tif 000005
【図４】
2008133623.tif 000006
【図５】
2008133623.tif 000007
【図６】
2008133623.tif 000008
【図７】
2008133623.tif 000009
【図８】
2008133623.tif 000010
【図９】
2008133623.tif 000011